(57)【要約】【課題】ギヤを使用することなく回転運動を直線運動に変換してピストンを往復動させることができ、そのため製造コストを安くすることが可能な定量シリンジポンプを提供する。【解決手段】シリンジ２０６と、シリンジの後端側からシリンジ内に挿入されたピストン２０８とを具備し、ピストンを往復動させてシリンジの先端側から送液を行う定量シリンジポンプにおいて、シリンジをその先端側付近を支点２２８として振り子運動可能に配設するとともに、シリンジから突出したピストンの後端側に円２３０に沿って円運動を行わせてピストンを往復動させる。【選択図】　　　　図１
2004092563.tif 000002
【特許請求の範囲】
【請求項１】
シリンジと、シリンジの後端側からシリンジ内に挿入されたピストンとを具備し、ピストンを往復動させてシリンジの先端側から送液を行う定量シリンジポンプにおいて、シリンジをその先端側付近を支点として振り子運動可能に配設するとともに、シリンジから突出したピストンの後端側に円運動を行わせてピストンを往復動させることを特徴とする定量シリンジポンプ。
【請求項２】
軸方向両端側にそれぞれ逆止弁または開閉弁が取り付けられた送液管の軸方向中間部にシリンジの先端側を連結し、ピストンを後退させたときに送液管の軸方向一端側からシリンジ内に液を吸引するとともに、ピストンを前進させたときに送液管の軸方向他端側からシリンジ内の液を吐出することを特徴とする請求項１に記載の定量シリンジポンプ。
【請求項３】
シリンジおよび送液管を取付板に固定し、この取付板を基板に回動可能に取り付けることにより、シリンジをその先端側付近を支点として振り子運動可能に配設するとともに、送液管をシリンジの振り子運動とともに揺動させることを特徴とする請求項２に記載の定量シリンジポンプ。
【請求項４】
シリンジから突出したピストンの後端側所定箇所を、モータの作動により回転する回転板の回転中心から離れた偏心位置に連結し、前記回転板を回転させることによりシリンジから突出したピストンの後端側に円運動を行わせることを特徴とする請求項１〜３のいずれか１項に記載の定量シリンジポンプ。
【請求項５】
基板と、取付板と、前記取付板に固定されたシリンジと、前記シリンジの後端側からシリンジ内に挿入されたピストンと、前記取付板に固定され、軸方向両端側にそれぞれ逆止弁または開閉弁が取り付けられているとともに、その軸方向中間部に前記シリンジの先端側が連結された送液管と、前記基板に回動可能に取り付けられ、前記シリンジから突出したピストンの後端側所定箇所がその回転中心から離れた偏心位置に連結された回転板と、前記基板に取り付けられ、前記回転板を回転させるモータとを具備し、前記取付板を前記基板に回動可能に取り付けることにより、前記シリンジをその先端側付近を支点として振り子運動可能に配設するとともに、前記モータで前記回転板を回転させることによりシリンジから突出したピストンの後端側に円運動を行わせてピストンを往復動させ、ピストンを後退させたときに送液管の軸方向一端側からシリンジ内に液を吸引するとともに、ピストンを前進させたときに送液管の軸方向他端側からシリンジ内の液を吐出することを特徴とする定量シリンジポンプ。
【請求項６】
送液管とシリンジとが略Ｔ字状に連結され、送液管がシリンジの振り子運動とともに揺動することを特徴とする請求項５に記載の定量シリンジポンプ。
【発明の詳細な説明】
【０００１】
【発明の属する技術分野】
本発明は、例えば機器分析において試料液に所定量の薬剤を添加する場合などに使用される定量シリンジポンプに関する。
【０００２】
【従来の技術】
従来、機器分析等において、試料液に所定量の薬剤を添加するための定量シリンジポンプとして、モータとギヤを用いたものが使用されている。この定量シリンジポンプは、シリンジと、シリンジ内に挿入されたピストンとを具備し、モータの回転運動をギヤにより直線運動に変換してピストンを往復動させるものである（例えば、特許文献１参照）。
【０００３】
【特許文献１】
特開平６−４７０９１号公報
【０００４】
【発明が解決しようとする課題】
しかし、前述したモータとギヤを用いた定量シリンジポンプは、比較的高価な部品であるギヤを使用しているため、製造コストが高くなるものであった。
【０００５】
本発明は、前述した事情に鑑みてなされたもので、ギヤを使用することなく回転運動を直線運動に変換してピストンを往復動させることができ、そのため製造コストを安くすることが可能な定量シリンジポンプを提供することを目的とする。
【０００６】
【課題を解決するための手段】
本発明は、前記目的を達成するため、下記（１）〜（６）の定量シリンジポンプを提供する。
【０００７】
（１）シリンジと、シリンジの後端側からシリンジ内に挿入されたピストンとを具備し、ピストンを往復動させてシリンジの先端側から送液を行う定量シリンジポンプにおいて、シリンジをその先端側付近を支点として振り子運動可能に配設するとともに、シリンジから突出したピストンの後端側に円運動を行わせてピストンを往復動させることを特徴とする定量シリンジポンプ。
【０００８】
（２）軸方向両端側にそれぞれ逆止弁または開閉弁が取り付けられた送液管の軸方向中間部にシリンジの先端側を連結し、ピストンを後退させたときに送液管の軸方向一端側からシリンジ内に液を吸引するとともに、ピストンを前進させたときに送液管の軸方向他端側からシリンジ内の液を吐出することを特徴とする（１）の定量シリンジポンプ。
【０００９】
（３）シリンジおよび送液管を取付板に固定し、この取付板を基板に回動可能に取り付けることにより、シリンジをその先端側付近を支点として振り子運動可能に配設するとともに、送液管をシリンジの振り子運動とともに揺動させることを特徴とする（２）の定量シリンジポンプ。
【００１０】
（４）シリンジから突出したピストンの後端側所定箇所を、モータの作動により回転する回転板の回転中心から離れた偏心位置に連結し、前記回転板を回転させることによりシリンジから突出したピストンの後端側に円運動を行わせることを特徴とする（１）〜（３）の定量シリンジポンプ。
【００１１】
（５）基板と、取付板と、前記取付板に固定されたシリンジと、前記シリンジの後端側からシリンジ内に挿入されたピストンと、前記取付板に固定され、軸方向両端側にそれぞれ逆止弁または開閉弁が取り付けられているとともに、その軸方向中間部に前記シリンジの先端側が連結された送液管と、前記基板に回動可能に取り付けられ、前記シリンジから突出したピストンの後端側所定箇所がその回転中心から離れた偏心位置に連結された回転板と、前記基板に取り付けられ、前記回転板を回転させるモータとを具備し、前記取付板を前記基板に回動可能に取り付けることにより、前記シリンジをその先端側付近を支点として振り子運動可能に配設するとともに、前記モータで前記回転板を回転させることによりシリンジから突出したピストンの後端側に円運動を行わせてピストンを往復動させ、ピストンを後退させたときに送液管の軸方向一端側からシリンジ内に液を吸引するとともに、ピストンを前進させたときに送液管の軸方向他端側からシリンジ内の液を吐出することを特徴とする定量シリンジポンプ。
【００１２】
（６）送液管とシリンジとが略Ｔ字状に連結され、送液管がシリンジの振り子運動とともに揺動することを特徴とする（５）の定量シリンジポンプ。
【００１３】
本発明では、シリンジをその先端側付近を支点として振り子運動可能に配設し、シリンジから突出したピストンの後端側に円運動を行わせることにより、ピストンを往復動させる。したがって、本発明によれば、ギヤを用いることなく回転運動を直線運動に変換してピストンを往復動させることができる。
【００１４】
【発明の実施の形態】
次に、添付図面を参照して本発明の実施の形態を説明する。図１は本発明に係る定量シリンジポンプの一例を示す一部断面概略正面図、図２は一部断面概略側面図である。
【００１５】
本例の定量シリンジポンプにおいて、２０２は金属製の基板、２０４は金属製の取付板、２０６は取付板２０４に固定部材（図示せず）により固定された合成樹脂製のシリンジ、２０８はシリンジ２０６の後端側からシリンジ２０６内に挿入された合成樹脂製のピストンを示す。
【００１６】
図中２１０は、取付板２０４に固定部材（図示せず）により固定された合成樹脂製の送液管を示す。この送液管２１０は、軸方向両端側にそれぞれ逆止弁２１２、２１４が取り付けられているとともに、その軸方向中間部にシリンジ２０６の先端側が連結され、送液管２１０の内部とシリンジ２０６の内部とは連通している。また、送液管２１０とシリンジ２０６とは略Ｔ字状に一体的に連結されている。
【００１７】
図中２１６は、基板２０２に軸２１８により回動可能に取り付けられた回転板を示す。この回転板２１６には、シリンジ２０６から突出したピストン２０８の後端側所定箇所が、その回転中心２２０から離れた偏心位置に連結部材２２２によって連結されている。なお、連結部材２２２は回転板２１６に回動可能に取り付けられている。回転板２１６は、基板２０２の背面に取り付けられたモータ２２４が軸２１８を回転させることによって回転せしめられる。
【００１８】
本例の定量シリンジポンプにおいては、取付板２０４を基板２０２に軸２２６によって回動可能に取り付けることにより、シリンジ２０６をその先端側付近を支点２２８として振り子運動可能に配設してある。また、モータ２２４で回転板２１６を回転させることにより、シリンジ２０６から突出したピストン２０８の後端側に円運動を行わせてピストン２０８を往復動させるようにしてある。
【００１９】
上記の点を図面を参照して説明する。まず、図１に示すピストン２０８が最も前進した状態から、モータ２２４の作動により回転板２１６を回転させると、シリンジ２０６の回転板２１６に連結された箇所が図１に示した仮想円２３０に沿って円運動を行い、ピストン２０８が後退する。この場合、ピストン２０８は後端側が円運動するので傾斜した状態となるが、シリンジ２０６はその先端側付近を支点として振り子運動可能であるので、図３に示すように、ピストン２０８が傾斜するとそれに合わせてシリンジ２０６も振り子運動により傾斜し、ピストン２０８の方向とシリンジ２０６の方向とは常に一致し、ピストン２０８の往復動は妨げられない。その後、図４に示すピストン２０８がもっとも後退した状態となり、さらに回転板２１６が回転すると、図１に示すピストン２０８が最も前進した状態に戻り、以降は回転板２１６の回転により上記運動を反復するものである。なお、図３および図４では便宜のため、シリンジ２０６、ピストン２０８、送液管２１０、回転板２１６および連結部材２２２のみを示した。
【００２０】
本例の定量シリンジポンプは、上述の運動を行うことにより、図１に示すように、ピストン２０８を後退させたときには、送液管２１０の軸方向一端側からシリンジ２０６内に例えば薬剤槽２３２からチューブ２３４を介して薬剤を吸引する。また、ピストン２０８を前進させたときには、送液管２１０の軸方向他端側からシリンジ２０６内の薬剤をチューブ２３６を介して液を例えば反応槽２３８の試料液中に吐出するものである。この場合、液の吸引・吐出量の調整は、ピストンの円運動の大きさを調節すること、具体的には回転板２１６へのピストン２０８の取付位置を調節することによって行うことができる。
【００２１】
なお、本発明は上述の例に限定されるものではなく、例えば下記のような種々の変更が可能である。
▲１▼送液管の軸方向両端側にそれぞれ逆止弁を取り付けたが、逆止弁を開閉弁に代え、所定のタイミングで開閉弁を開閉させるようにしてもよい。また、回転板の所定の位置をマイクロスイッチや光スイッチで検出し、この検出信号で開閉弁を開閉させるようにしてもよい。
▲２▼シリンジおよび送液管を取付板に固定し、取付板を基板に回動可能に取り付けたが、シリンジあるいはシリンジと送液管との連結体を基板に直接取り付けてもよい。
【００２２】
【発明の効果】
以上説明したように、本発明の定量シリンジポンプは、ギヤを使用することなく回転運動を直線運動に変換してピストンを往復動させることができ、そのため製造コストを安くすることが可能である。
【図面の簡単な説明】
【図１】図１は本発明に係る定量シリンジポンプの一例を示す一部断面概略正面図である。
【図２】図１のポンプの一部断面概略側面図である。
【図３】図１のポンプにおけるシリンジおよびピストンの動きを説明する図である。
【図４】図１のポンプにおけるシリンジおよびピストンの動きを説明する図である。
【符号の説明】
２０２　基板
２０４　取付板
２０６　シリンジ
２０８　ピストン
２１０　送液管
２１２　逆止弁
２１４　逆止弁
２１６　回転板
２２０　回転中心
２２４　モータ
２２８　支点
【図１】
2004092563.tif 000003
【図２】
2004092563.tif 000004
【図３】
2004092563.tif 000005
【図４】
2004092563.tif 000006